(57)【要約】【課題】携帯端末のかな漢字変換辞書に特定分野の用語や新語を簡単かつ迅速に登録可能なシステムを提供する。【解決手段】携帯端末１０に内蔵のかな漢字変換辞書１５に登録する辞書データを作成するために、ユーザ１が入力した音声１Ａを音声入力部１１にて受け取り、辞書データ作成要求用の音声データ１０Ａとして音声データ送信部１２から辞書サーバ２０にネットワーク３０を介して送信することにより、辞書サーバ２０は、音声認識部２３にて送信されてきた音声データ１０Ａを音声認識してテキスト文に変換し、さらに、該テキスト文を形態素解析部２４にて辞書登録単位のかな文字列に分解して、辞書データ作成部２５にて該当する漢字、品詞情報を少なくとも含む辞書データ２０Ａを作成して、ネットワーク３０を介して要求元の携帯端末１０に返送する。携帯端末１０の辞書登録部１４は、受信した辞書データ２０Ａをかな漢字変換辞書１５に登録する。【選択図】図２
2007213109.tif 000002
【特許請求の範囲】
【請求項１】
テキスト作成機能を有する携帯端末と、該携帯端末に内蔵のかな漢字変換辞書に登録するための辞書データを作成して前記携帯端末に送信する辞書サーバとを、ネットワークを介して接続する辞書作成システムにおいて、前記携帯端末は、前記かな漢字変換辞書に登録するための用語を含む音声を入力する音声入力部と、入力された前記音声を辞書データ作成要求用の音声データとして、前記辞書サーバに送信する音声データ送信部と、前記辞書サーバから送信されてくる辞書データを内蔵の前記かな漢字変換辞書に登録する辞書登録部とを少なくとも含んで構成され、前記辞書サーバは、前記携帯端末から送信されてくる辞書データ作成要求用の前記音声データを受信する音声データ受信部と、受信した前記音声データを音声認識して、かなテキスト文に変換する音声認識部と、変換した前記かなテキスト文を形態素解析して辞書登録単位のかな文字列に分解する形態素解析部と、分解した前記かな文字列それぞれに該当する漢字、品詞情報を少なくとも含む辞書データを作成する辞書データ作成部と、作成した前記辞書データを、要求元の前記携帯端末に返送する辞書データ送信部とを少なくとも含んで構成されていることを特徴とする辞書作成システム。
【請求項２】
前記辞書サーバは、一般に用いられる用語、特定分野も含め各種分野で用いられる用語、最近用いられるようになった新語を登録した辞書用データベースを備え、前記辞書データ作成部は、前記辞書用データベースを参照することにより、前記辞書データを作成することを特徴とする請求項１に記載の辞書作成システム。
【請求項３】
前記辞書サーバは、辞書データ作成とは異なるアプリケーションを実行するアプリケーションサーバと一体化されて構成されていることを特徴とする請求項１または２に記載の辞書作成システム。
【請求項４】
前記携帯端末の前記辞書登録部は、前記辞書サーバから送信されてきた前記辞書データに含まれている用語が既に前記かな漢字変換辞書に登録済みか否かをチェックし、登録済みではない用語のみを登録することを特徴とする請求項１ないし３のいずれかに記載の辞書作成システム。
【請求項５】
テキスト作成機能を有する携帯端末において、内蔵のかな漢字変換辞書に登録するための用語を含む音声を入力する音声入力部と、入力された前記音声を辞書データ作成要求用の音声データとして、前記かな漢字変換辞書に登録する辞書データを作成して返送してくる辞書サーバにネットワークを介して送信する音声データ送信部と、前記辞書サーバから送信されてくる辞書データを内蔵の前記かな漢字変換辞書に登録する辞書登録部とを少なくとも含んで構成されていることを特徴とする携帯端末。
【請求項６】
携帯端末に内蔵のかな漢字変換辞書に登録するための辞書データを作成して前記携帯端末にネットワークを介して送信する辞書サーバにおいて、前記携帯端末から送信されてくる辞書データ作成要求用の音声データを受信する音声データ受信部と、受信した前記音声データを音声認識して、かなテキスト文に変換する音声認識部と、変換した前記かなテキスト文を形態素解析して辞書登録単位のかな文字列に分解する形態素解析部と、分解した前記かな文字列それぞれに該当する漢字、品詞情報を少なくとも含む辞書データを作成する辞書データ作成部と、作成した前記辞書データを、要求元の前記携帯端末に返送する辞書データ送信部とを少なくとも含んで構成されていることを特徴とする辞書サーバ。
【請求項７】
テキスト作成機能を有する携帯端末に内蔵のかな漢字変換辞書に登録するための辞書データを辞書サーバにて作成して前記携帯端末に送信することにより、前記かな漢字変換辞書に辞書データを登録する辞書作成方法において、前記携帯端末は、前記かな漢字変換辞書に登録するための用語を含む音声を入力する音声入力ステップと、入力された前記音声を辞書データ作成要求用の音声データとして、前記辞書サーバに送信する音声データ送信ステップと、前記辞書サーバから送信されてくる辞書データを内蔵の前記かな漢字変換辞書に登録する辞書登録ステップとを少なくとも有し、前記辞書サーバは、前記携帯端末から送信されてくる辞書データ作成要求用の前記音声データを受信する音声データ受信ステップと、受信した前記音声データを音声認識して、かなテキスト文に変換する音声認識ステップと、変換した前記かなテキスト文を形態素解析して辞書登録単位のかな文字列に分解する形態素解析ステップと、分解した前記かな文字列それぞれに該当する漢字、品詞情報を少なくとも含む辞書データを作成する辞書データ作成ステップと、作成した前記辞書データを、要求元の前記携帯端末に返送する辞書データ送信ステップとを少なくとも有していることを特徴とする辞書作成方法。
【請求項８】
前記辞書サーバは、一般に用いられる用語、特定分野も含め各種分野で用いられる用語、最近用いられるようになった新語を登録した辞書用データベースを備え、前記辞書データ作成ステップは、前記辞書用データベースを参照することにより、前記辞書データを作成することを特徴とする請求項７に記載の辞書作成方法。
【請求項９】
前記携帯端末の前記辞書登録ステップは、前記辞書サーバから送信されてきた前記辞書データに含まれている用語が既に前記かな漢字変換辞書に登録済みか否かをチェックし、登録済みではない用語のみを登録することを特徴とする請求項７または８に記載の辞書作成方法。
【請求項１０】
請求項７ないし９のいずれかに記載の辞書作成方法を構成する各ステップの１ないし複数をコンピュータにより実行可能なプログラム論理として実現していることを特徴とする辞書作成プログラム。
【発明の詳細な説明】
【技術分野】
【０００１】
本発明は、辞書作成システム、辞書サーバ、携帯端末、辞書作成方法、および、辞書作成プログラムに関する。
【背景技術】
【０００２】
近年、携帯端末を用いて、メール送受信やＷｅｂ検索などテキスト作成を行う形態が常態化してきている。このような機能を携帯端末で実施するために、携帯端末には、かな文字を漢字に変換するためのかな漢字変換辞書が内蔵されている。しかし、内蔵されているかな漢字変換辞書は、一般的に、使用する単語しか収録されていないために、特定分野の専用用語など、使用するユーザが偏って用いている用語については収録されていない。
【０００３】
また、携帯端末に内蔵のかな漢字変換辞書は、通常、変更することが不可能なため、当該携帯端末の発売日以後に使用されるようになった新語についても使用不可能である。また、収録されていない単語が、ＤＬ辞書（Ｄｏｗｎｌｏａｄ辞書）により提供される場合があるが、個人が使用したい言葉が、必ずしも収録されているとは限らない。そのため、個人が自由に使用したい言葉を辞書に追加できる機能が望まれている。
【０００４】
このような問題を解決するために、特許文献１に示す特開２００２−１８３１２７号公報「ユーザ辞書生成登録システム、辞書サーバ、端末、ユーザ辞書生成方法、ユーザ辞書登録方法、ならびに、情報記録媒体」には、端末から送信される電子メールを辞書サーバにて傍受して、端末の辞書に登録されていない語句が含まれているか否かを解析して、含まれていた場合には、該語句を辞書サーバから端末に送信して、端末の辞書に追加登録する技術が提案されている。
【特許文献１】特開２００２−１８３１２７号公報（第６−７頁）
【発明の開示】
【発明が解決しようとする課題】
【０００５】
前述したように、従来の携帯端末に内蔵されているかな漢字変換辞書では、携帯端末を使用するユーザが使う特定分野の用語や新語については登録されていないため、漢字変換することができないという問題があったが、かかる問題を解決しようとして、前記特許文献１に記載のような技術が提案されている。
【０００６】
しかしながら、前記特許文献１の技術では、電子メールを送信するユーザ側では、やはり、かな文字から漢字に変換する用語が内蔵のかな漢字変換辞書にまだ存在していない場合があるので、送信するための電子メールの作成に手間がかかるという欠点があった。さらには、辞書サーバが各端末からの電子メールを傍受して各電子メールの解析を実行する処理を実施するために、電子メールの転送時間に時間がかかってしまうという問題もあった。さらには、辞書サーバが、未登録の語句を各端末に送信するために、各端末側のかな漢字変換辞書の登録状況を常時把握している必要があるなどの問題もあった。
【０００７】
本発明は、以上のような事情に鑑みてなされたものであり、携帯端末内蔵のかな漢字変換辞書に登録したい用語を、電子メールではなく、当該携帯端末から音声入力して、辞書サーバに対して、辞書データの作成要求をすることにより、該辞書サーバから辞書登録用の辞書データを当該携帯端末が受け取って内蔵のかな漢字変換辞書に登録する辞書作成システム、辞書サーバ、携帯端末、辞書作成方法、および、辞書作成プログラムを提供することに、その目的がある。
【課題を解決するための手段】
【０００８】
前述の課題を解決するため、本発明による辞書作成システム、辞書サーバ、携帯端末、辞書作成方法、および、辞書作成プログラムは、次のような特徴的な構成を採用している。
【０００９】
（１）テキスト作成機能を有する携帯端末と、該携帯端末に内蔵のかな漢字変換辞書に登録するための辞書データを作成して前記携帯端末に送信する辞書サーバとを、ネットワークを介して接続する辞書作成システムにおいて、前記携帯端末は、前記かな漢字変換辞書に登録するための用語を含む音声を入力する音声入力部と、入力された前記音声を辞書データ作成要求用の音声データとして、前記辞書サーバに送信する音声データ送信部と、前記辞書サーバから送信されてくる辞書データを内蔵の前記かな漢字変換辞書に登録する辞書登録部とを少なくとも含んで構成され、前記辞書サーバは、前記携帯端末から送信されてくる辞書データ作成要求用の前記音声データを受信する音声データ受信部と、受信した前記音声データを音声認識して、かなテキスト文に変換する音声認識部と、変換した前記かなテキスト文を形態素解析して辞書登録単位のかな文字列に分解する形態素解析部と、分解した前記かな文字列それぞれに該当する漢字、品詞情報を少なくとも含む辞書データを作成する辞書データ作成部と、作成した前記辞書データを、要求元の前記携帯端末に返送する辞書データ送信部とを少なくとも含んで構成されている辞書作成システム。
（２）前記辞書サーバは、一般に用いられる用語、特定分野も含め各種分野で用いられる用語、最近用いられるようになった新語を登録した辞書用データベースを備え、前記辞書データ作成部は、前記辞書用データベースを参照することにより、前記辞書データを作成する上記（１）の辞書作成システム。
（３）前記辞書サーバは、辞書データ作成とは異なるアプリケーションを実行するアプリケーションサーバと一体化されて構成されている上記（１）または（２）の辞書作成システム。
（４）前記携帯端末の前記辞書登録部は、前記辞書サーバから送信されてきた前記辞書データに含まれている用語が既に前記かな漢字変換辞書に登録済みか否かをチェックし、登録済みではない用語のみを登録する上記（１）ないし（３）のいずれかの辞書作成システム。
（５）テキスト作成機能を有する携帯端末において、内蔵のかな漢字変換辞書に登録するための用語を含む音声を入力する音声入力部と、入力された前記音声を辞書データ作成要求用の音声データとして、前記かな漢字変換辞書に登録する辞書データを作成して返送してくる辞書サーバにネットワークを介して送信する音声データ送信部と、前記辞書サーバから送信されてくる辞書データを内蔵の前記かな漢字変換辞書に登録する辞書登録部とを少なくとも含んで構成されている携帯端末。
（６）携帯端末に内蔵のかな漢字変換辞書に登録するための辞書データを作成して前記携帯端末にネットワークを介して送信する辞書サーバにおいて、前記携帯端末から送信されてくる辞書データ作成要求用の音声データを受信する音声データ受信部と、受信した前記音声データを音声認識して、かなテキスト文に変換する音声認識部と、変換した前記かなテキスト文を形態素解析して辞書登録単位のかな文字列に分解する形態素解析部と、分解した前記かな文字列それぞれに該当する漢字、品詞情報を少なくとも含む辞書データを作成する辞書データ作成部と、作成した前記辞書データを、要求元の前記携帯端末に返送する辞書データ送信部とを少なくとも含んで構成されている辞書サーバ。
（７）テキスト作成機能を有する携帯端末に内蔵のかな漢字変換辞書に登録するための辞書データを辞書サーバにて作成して前記携帯端末に送信することにより、前記かな漢字変換辞書に辞書データを登録する辞書作成方法において、前記携帯端末は、前記かな漢字変換辞書に登録するための用語を含む音声を入力する音声入力ステップと、入力された前記音声を辞書データ作成要求用の音声データとして、前記辞書サーバに送信する音声データ送信ステップと、前記辞書サーバから送信されてくる辞書データを内蔵の前記かな漢字変換辞書に登録する辞書登録ステップとを少なくとも有し、前記辞書サーバは、前記携帯端末から送信されてくる辞書データ作成要求用の前記音声データを受信する音声データ受信ステップと、受信した前記音声データを音声認識して、かなテキスト文に変換する音声認識ステップと、変換した前記かなテキスト文を形態素解析して辞書登録単位のかな文字列に分解する形態素解析ステップと、分解した前記かな文字列それぞれに該当する漢字、品詞情報を少なくとも含む辞書データを作成する辞書データ作成ステップと、作成した前記辞書データを、要求元の前記携帯端末に返送する辞書データ送信ステップとを少なくとも有している辞書作成方法。
（８）前記辞書サーバは、一般に用いられる用語、特定分野も含め各種分野で用いられる用語、最近用いられるようになった新語を登録した辞書用データベースを備え、前記辞書データ作成ステップは、前記辞書用データベースを参照することにより、前記辞書データを作成する上記（７）の辞書作成方法。
（９）前記携帯端末の前記辞書登録ステップは、前記辞書サーバから送信されてきた前記辞書データに含まれている用語が既に前記かな漢字変換辞書に登録済みか否かをチェックし、登録済みではない用語のみを登録する上記（７）または（８）の辞書作成方法。
（１０）上記（７）ないし（９）のいずれかの辞書作成方法を構成する各ステップの１ないし複数をコンピュータにより実行可能なプログラム論理として実現している辞書作成プログラム。
【発明の効果】
【００１０】
本発明の辞書作成システム、辞書サーバ、携帯端末、辞書作成方法、および、辞書作成プログラムにおいては、携帯端末で使用したい用語を、辞書サーバに対して辞書データ作成要求用の音声データとして送信し、該辞書サーバが、当該携帯端末で使用可能な形式の辞書データを作成して、当該携帯端末に返送してくるため、ユーザは、内蔵のかな漢字変換辞書として、使用したい用語を、前記辞書サーバから、必要に応じて、随時、動的に取得することが可能になるという効果を奏することができる。
【００１１】
また、本発明においては、電子メールとは切り離して、辞書データ作成要求用として、登録したい用語を含む独自の音声データを用いて、登録したい用語の作成要求を辞書サーバに送信するので、電子メールの作成に手間取ることもないし、電子メールの転送遅れも生じることがないという効果を奏することもできる。
【００１２】
また、本発明においては、辞書サーバは、要求元の携帯端末に対して、かな漢字変換辞書に登録する用語を返送する仕組みであり、辞書サーバが各携帯端末の辞書登録状況を常時把握する必要がなく、負荷を軽減することが可能であり、一方、携帯端末側においても、ユーザが特定分野においてのみ使用する用語や新語について、当該ユーザの携帯端末に簡単に追加登録することが可能となる。
【発明を実施するための最良の形態】
【００１３】
以下、本発明による辞書作成システム、辞書サーバ、携帯端末、辞書作成方法、および、辞書作成プログラムの好適実施形態例について添付図を参照して説明する。
【００１４】
図１は、本発明の辞書作成システムに関する概要を説明するための説明図である。図１に示すように、ユーザ１は、使用したい用語を含む音声１Ａを、当該ユーザの携帯端末１０に対して入力する。携帯端末１０はユーザ１から入力された音声１Ａを辞書データ作成要求用の音声データ１０Ａとして、辞書サーバ２０に対してネットワークを介して送信する。ネットワークを介して音声データ１０Ａを受け取った辞書サーバ２０は、受け取った音声データ１０Ａを解析し、音声データ１０Ａに対応する辞書データ２０Ａを作成する。しかる後、辞書サーバ２０は、作成した辞書データ２０Ａを、要求元の携帯端末１０に対してネットワークを介して返送する。
【００１５】
かくのごとく、本発明においては、携帯端末１０には、内蔵のかな漢字変換辞書に登録したい用語を含む音声１Ａが入力された場合に、音声１Ａを辞書サーバ２０に音声データ１０Ａとして送信する機能を有している。一方、辞書サーバ２０には、受信した音声データ１０Ａを音声認識してかなテキスト文に変換した後、変換したかなテキスト文の形態素解析を行って、辞書への登録単位に単語・用語分割し、それぞれの単語・用語に該当する辞書データ２０Ａ（かな、漢字、品詞情報などを含むデータ）を作成し、音声データ１０Ａの送信元の携帯端末１０に返送する機能を有している。さらに、携帯端末１０では、返送されてきた辞書データ２０Ａを内蔵のかな漢字変換辞書に追加登録することができる。
【００１６】
而して、携帯端末１０を携帯するユーザ１は、使用したい用語を含む辞書データ２０Ａを、必要に応じて、動的に取得することが可能になる。
【００１７】
ここで、携帯端末１０は、音声入力機能を有し、かな漢字混じりテキストの作成機能を有する携帯可能な情報機器であれば如何なる形態のものであってもかまわない。例えば、携帯電話機であっても良いし、ＰＨＳ電話機であっても良いし、携帯情報端末ＰＤＡであっても良いし、携帯ノートＰＣであっても良い。また、ネットワークは、音声データや辞書データを転送可能なネットワークであれば、有線・無線を問わず、インターネットでも良いし、公衆通信ネットワークでも良いし、如何なる形態のネットワークであってもかまわない。
【００１８】
また、辞書サーバ２０は、ネットワークを介して受信した音声データ１０Ａを音声認識し、対応する辞書データ２０Ａを作成可能なものであれば、如何なる処理形態であっても良く、辞書データ作成専用のサーバであっても良いし、辞書データ作成とは異なる種類のアプリケーションを実行するアプリケーションサーバと一体化されて構成されていても良い。また、辞書サーバ２０が、辞書データ２０Ａを作成するための辞書用データベースを内蔵するような形態であっても良いし、ネットワークを介して、他のサーバから辞書用データを取得するような形態であっても良いし、両者を混在させたような形態であっても良い。以下の説明においては、説明を簡潔にするために、辞書サーバ２０は、辞書用データを内蔵の独立したサーバとして構成した場合を例にとって説明する。
【００１９】
次に、本発明に関わる辞書作成システムについて、具体的な構成例について、図２を用いて説明する。図２は、図１に概要を示した本発明に関わる辞書作成システムの具体的なシステム構成の一例を示すシステム構成図である。図２に示すように、辞書作成システム１００は、内蔵のかな漢字変換辞書を用いてかな漢字混じりのテキストを作成することが可能な携帯端末１０と、当該携帯端末１０からの音声データ１０Ａに基づいて前記かな漢字変換辞書に登録するための辞書データ２０Ａを作成して返送する辞書サーバ２０とが、ネットワーク３０を介して接続されて構成されている。
【００２０】
携帯端末１０は、音声入力部１１、音声データ送信部１２、かな漢字変換部１３、辞書登録部１４、かな漢字変換辞書１５を少なくとも備えている。なお、携帯端末１０は、例えば電話機能やメール送受信機能などの通常の通信機能や情報処理機能に関する機能ブロックも備えているが、図２には、本発明に直接関連する機能ブロックのみを示している。ここで、音声入力部１１は、ユーザ１がマイクなどを介して入力した、かな漢字変換辞書１５に登録したい用語を含む音声１Ａを受け付けるものであり、受け付けた音声１Ａは、音声データ送信部１２に送付される。音声データ送信部１２は、音声入力部１１から送付されてくる音声１Ａを、辞書サーバ２０向けの辞書データ作成要求用の音声データ１０Ａのデータ形式に変換して、ネットワーク３０を介して、辞書サーバ２０に対して送信するものである。
【００２１】
また、かな漢字変換部１３は、ユーザ１がテキスト作成用として入力したかな文字について、かな漢字変換辞書１５を参照して得られた漢字変換候補を一覧表示することにより、ユーザ１が選択した漢字に変換して、かな漢字混じりの通常のテキスト文に変換するものである。辞書登録部１４は、辞書サーバ２０から返送されてきた辞書データ２０Ａを、当該携帯端末１０に内蔵のかな漢字変換辞書１５に追加して登録するものである。
【００２２】
一方、辞書サーバ２０は、音声データ受信部２１、辞書データ送信部２２、音声認識部２３、形態素解析部２４、辞書データ作成部２５、辞書用データベース２６を少なくとも備えている。音声データ受信部２１は、携帯端末１０からネットワーク３０を介して送信されてくる辞書データ作成要求用の音声データ１０Ａを受信して、音声認識部２３に引き渡すものである。辞書データ送信部２２は、後述する辞書データ作成部２５が作成した辞書データ２０Ａを、対応する音声データ１０Ａを送信してきた、要求元の携帯端末１０に対してネットワーク３０を介して返送するものである。
【００２３】
音声認識部２３は、音声データ受信部２１からの音声データ１０Ａの中から、かな漢字変換辞書１５に登録したい用語を含む音声データを抽出すると共に、該音声データの認識処理を行うことにより、かな文字からなるテキスト、すなわち、かなテキスト文に変換して、形態素解析部２４に引き継ぐものである。形態素解析部２４は、音声認識部２３からのかなテキスト文を、形態素解析することにより、かな漢字変換辞書１５に登録する用語の単位に、かなテキスト文を分解する単語・用語分割を施すものである。辞書データ作成部２５は、形態素解析部２４によって単語・用語分割されたかな文字列に対応する漢字や品詞情報を、辞書用データベース２６を参照しながら抽出すると共に、辞書に登録可能な形式の辞書データ２０Ａとして作成するものであり、作成した辞書データ２０Ａは辞書データ送信部２２に送付されることになる。
【００２４】
ここで、辞書用データベース２６は、通常の国語辞典に記載されているような一般的な用語のみならず、特定分野で用いられているような特殊な専門用語も含め、各種分野で用いられている用語を登録すると共に、最近の新語をも含めて登録しているデータベースである。なお、辞書サーバ２０は、当該辞書用データベース２６に該当する用語に関する情報が登録されていなかった場合には、ネットワーク３０を介して、他のサーバに対して問い合わせを行うことも可能である。
【００２５】
次に、図２に示した辞書作成システム１００における辞書作成方法の一例について、図３のフローチャートを用いて説明する。ここに、図３は、本発明に関わる辞書作成システム１００の辞書作成方法の一例を示すフローチャートであり、図３（Ａ）は、携帯端末１０側の処理内容を示し、図３（Ｂ）は、辞書サーバ２０側の処理内容を示している。
【００２６】
まず、携帯端末１０のユーザ１が、携帯端末１０に内蔵のかな漢字変換辞書１５に追加登録したい用語を見つけた場合、当該ユーザ１は、当該携帯端末１０の操作部を用いて、辞書登録用の音声入力モードに設定した後、マイクなどから辞書登録用の用語を含む音声１Ａを入力する（ステップＳ１１）。入力されてきた音声１Ａは、音声入力部１１によって受け取られて、音声データ送信部１２に送付される。音声データ送信部１２では、送付されてきた音声１Ａを、辞書データ作成要求用の音声データ形式に変換することにより、音声データ１０Ａを作成する（ステップＳ１２）。次いで、作成した音声データ１０Ａを、ネットワーク３０を介して、辞書サーバ２０に送信する（ステップＳ１３）。送信が終了すると、辞書サーバ２０から対応する辞書データ２０Ａが返送されるまで中断する。
【００２７】
一方、辞書サーバ２０においては、携帯端末１０からネットワーク３０を介して辞書データ作成要求用の音声データ１０Ａを音声データ受信部２１にて受信すると（ステップＳ２１）、受信した音声データ１０Ａは、音声認識部２３に送付される。音声認識部２３では、送付されてきた音声データ１０Ａを音声認識して、かなテキスト文に変換する（ステップＳ２２）。変換されたかなテキスト文は、形態素解析部２４において、形態素解析されて、携帯端末１０側に内蔵のかな漢字変換辞書１５に登録される用語の単位に単語・用語分割される（ステップＳ２３）。
【００２８】
単語・用語分割されたかなテキスト文の各かな文字列について、辞書データ作成部２５において、辞書用データベース２６を参照しながら、対応する漢字、品詞情報などを探索する処理が実施され、最終的に、携帯端末１０側に内蔵のかな漢字変換辞書１５に登録可能な形式の辞書データ２０Ａが作成される（ステップＳ２４）。
【００２９】
辞書データ作成部２５にて作成された辞書データ２０Ａは、辞書データ送信部２２において、当該辞書データ２０Ａに対応する音声データ１０Ａを送信してきた、要求元の携帯端末１０に対して、ネットワーク３０を介して送信される（ステップＳ２５）。
【００３０】
携帯端末１０側は、ネットワーク３０を介して、辞書サーバ２０からの辞書データ２０Ａを受信すると（ステップＳ１４）、中断状態が解除されて、辞書登録部１４が起動される。辞書登録部１４は受信した辞書データ２０Ａに含まれている辞書登録単位の用語を順次取り出して、内蔵のかな漢字変換辞書１５に登録されている用語か否かを確認していく（ステップＳ１５）。既に登録済みであった場合は（ステップＳ１５のＹＥＳ）、重複する登録を行うことなく、辞書データ２０Ａ中の次の用語を処理するために、ステップＳ１７に移行するが、まだ登録されていない用語であった場合は（ステップＳ１５のＮＯ）、新たな用語として、かな漢字変換辞書１５に登録する（ステップＳ１６）。
【００３１】
次いで、携帯端末１０の辞書登録部１４は、辞書サーバ２０から受信した辞書データ２０Ａに含まれているすべての用語について処理したか否かをチェックして（ステップＳ１７）、まだ、残っている場合は（ステップＳ１７のＮＯ）、ステップＳ１５に復帰して、次の用語に関しての処理に移るが、すべての用語を処理済みであれば（ステップＳ１７のＹＥＳ）、辞書登録処理を終了する。
【００３２】
以上に説明したように、本発明においては、携帯端末１０側で使用したい用語を含む音声１Ａを、辞書サーバ２０に対して、辞書データ作成要求用の音声データ１０Ａとして送信し、辞書サーバ２０が携帯端末１０で使用可能な形式に変換した辞書データ２０Ａとして返送してくることにより、携帯端末１０に内蔵のかな漢字変換辞書として使用したい用語を自動的に登録するので、携帯端末１０のユーザ１は、必要に応じて、随時、動的に、かな漢字混じりテキスト文の作成に必要な変換漢字を取得することが可能になる。
【００３３】
また、本発明においては、電子メールとは切り離して、辞書データ作成要求用の独自の音声データを用いて、登録したい用語の作成要求を辞書サーバに送信するので、電子メールの作成に手間取ることもないし、電子メールの転送遅れも生じることがなくなる。
【００３４】
また、本発明においては、辞書サーバは、要求元の携帯端末に対して、かな漢字変換辞書に登録する用語を返送する仕組みであり、辞書サーバが各携帯端末の辞書登録状況を常時把握する必要がなく、負荷を軽減することが可能であり、一方、携帯端末側においても、ユーザが特定分野においてのみ使用する用語や新語について、当該ユーザの携帯端末に簡単に追加登録することが可能となる。
【００３５】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることは、当業者には容易に理解できよう。
【図面の簡単な説明】
【００３６】
【図１】本発明の辞書作成システムに関する概要を説明するための説明図である。
【図２】本発明に関わる辞書作成システムの具体的なシステム構成の一例を示すシステム構成図である
【図３】本発明に関わる辞書作成システムの辞書作成方法の一例を示すフローチャートである。
【符号の説明】
【００３７】
１        ユーザ
１Ａ      音声
１０      携帯端末
１０Ａ    音声データ
１１      音声入力部
１２      音声データ送信部
１３      かな漢字変換部
１４      辞書登録部
１５      かな漢字変換辞書
２０      辞書サーバ
２０Ａ    辞書データ
２１      音声データ受信部
２２      辞書データ送信部
２３      音声認識部
２４      形態素解析部
２５      辞書データ作成部
２６      辞書用データベース
１００    辞書作成システム
【図１】
2007213109.tif 000003
【図２】
2007213109.tif 000004
【図３】
2007213109.tif 000005